(57)【特許請求の範囲】
【請求項１】
第１の無線通信装置により指定される送信領域内で、第２の無線通信装置が無線信号を送信する無線通信システムにおける通信方法において、
前記第１の無線通信装置は、前記第２の無線通信装置に対してデータ及び制御信号の送信領域を指定するとともに、該送信領域で送信すべきデータに関する指定を行い、
前記第２の無線通信装置は、指定された前記送信領域内で、送信データと、該送信データが、前記データに関する指定に従って送信されたデータであること又は該送信データが、前記データに関する指定に従って送信されていないデータであることを示す制御信号とを送信する、
ことを特徴とする通信方法。
【請求項２】
前記データに関する指定は、データ種別の指定である、
ことを特徴とする請求項１記載の通信方法。
【請求項３】
前記データに関する指定は、新規データ又は再送信データの指定である、
ことを特徴とする請求項１記載の通信方法。
【請求項４】
前記データに関する指定は、再送信データであり、
前記制御信号は、再送信データであること又は再送信データでないことを示す、
ことを特徴とする請求項１記載の通信方法。
【請求項５】
前記第１の無線通信装置による前記データ又は前記制御信号の送信領域の指定は、無線フレーム毎に行われる、
ことを特徴とする請求項１記載の通信方法。
【請求項６】
前記第１の無線通信装置による、前記送信領域の指定は、前記データの送信領域と前記制御信号の送信領域とを別個に指定することによりなされる、
ことを特徴とする請求項１記載の通信方法。
【請求項７】
第１の無線通信装置により指定される送信領域内で、第２の無線通信装置が無線信号を送信する無線通信システムにおける該第１の無線通信装置に対応する無線通信装置において、
前記第２の無線通信装置に対してデータ及び制御信号の送信領域の指定と、該送信領域で送信すべきデータに関する指定とを含む指定情報を生成する生成部と、
該生成部で生成された該指定情報を送信する送信部と、
指定した前記送信領域内で、送信データと、該送信データが前記データに関する指定に従って送信されたデータであること又は該送信データが前記データに関する指定に従って送信されていないデータであることを示す制御信号とを前記第２の無線通信装置から受信する受信部と、
を備えたことを特徴とする無線通信装置。
【請求項８】
第１の無線通信装置により指定される送信領域内で、第２の無線通信装置が無線信号を送信する無線通信システムにおける該第２の無線通信装置に対応する無線通信装置において、
前記第１の無線通信装置から、データ及び制御信号の送信領域の指定と、該送信領域で送信すべきデータに関する指定とを含む指定情報を受信する受信部と、
前記第１の無線通信装置に対して無線信号を送信する送信部と、
該指定情報により指定された前記送信領域内で、送信データと、該送信データが前記データに関する指定に従って送信されたデータであること又は該送信データが前記データに関する指定に従って送信されていないデータであることを示す制御信号とを前記送信部に送信させる制御を行う制御部と、
を備えたことを特徴とする無線通信装置。
【請求項９】
前記制御部は、前記送信部に、指定されたデータよりも優先度の高い他のデータを前記送信データとして前記送信部に送信させる場合に、該送信データが前記データに関する指定に従って送信されていないデータであることを示す制御信号を前記送信部に送信させる、
ことを特徴とする請求項８記載の無線通信装置。
【請求項１０】
前記データに関する指定は、該第１の無線通信装置が正しく受信できなかった再送データであり、
前記制御部は、指定された該再送データが、所定の許容遅延時間を越えたにもかかわらず、正常な送信が完了していないデータである場合に、前記送信データとして他のデータを前記送信部に送信させるとともに、該送信データが前記データに関する指定に従って送信されていないデータであることを示す制御信号を前記送信部に送信させる、
ことを特徴とする請求項８記載の無線通信装置。
【発明の詳細な説明】
【技術分野】
【０００１】
本発明は、無線通信を通信手段として用いる通信方法及び無線通信装置に関する。本発明を、例えば、一方の無線通信装置が他方の無線通信装置に対して送信を許容する送信領域を指定する無線通信システムに適用するのが好ましい。
【背景技術】
【０００２】
無線通信を通信手段として用いる通信方法は種々知られている。
【０００３】
図１は、従来の無線通信システムの例を示している。ここでは、１つのＢＳ１（Base Station:基地局）に対して、複数のＭＳ２1〜２3（Mobile Station：移動局）が無線により通信を行っている。また、このような無線通信システムにおいて、無線通信装置としての基地局から無線通信装置としての複数の移動局に対して、送信領域を指定することがある。
【０００４】
例えば、基地局から無線フレーム毎に送信領域、受信領域を指定する送信領域指定情報や受信領域を指定する受信領域指定情報を移動局に通知するのである。これによれば、無線フレーム毎に基地局は、移動局の送信動作、受信動作を制御することができるため、きめ細やかな無線リソースの管理が実現される。
【０００５】
IEEE802.16ワーキンググループで検討されている無線通信システムにおいても、基地局から移動局に対して無線フレーム毎に送信領域を指定することとしている。図２を用いて、この無線通信システムで用いられる送信領域指定情報、受信領域指定情報について説明する（非特許文献１、２参照）。
【０００６】
図２は、基地局から送信される無線フレームの構造を示す。
【０００７】
縦軸は、周波数を示し、異なる複数の周波数を用いて無線フレームが送信されることを示している。横軸は時間を示し、所定の期間に渡って無線フレームが送信されることを示している。この無線フレームは１無線フレームについて示したものであり、１つの無線フレームの送信が完了すると、次の無線フレームが送信される。もちろん、次の無線フレームには、異なるデータを格納することができ、各バーストの送信領域の区分も変更可能である。好ましくは、プリアンブルが所定の周期で送信されるように、各無線フレームが送信される。
【０００８】
さて、図において、DL Sub-frameは１無線フレーム内に含まれる下りサブフレームを示す。基地局から移動局への方向は下り方向と一般に呼ばれるためである。従って、基地局は、この下りサブフレームを用いて送信を行う。他方、UL Sub-frameは１無線フレーム内に含まれる上りサブフレームを示す。移動局から基地局への方向は上り方向と一般に呼ばれるためである。従って、各移動局は、この上りサブフレームを用いて送信を行う。
【０００９】
下りサブフレームには、プリアンブル(Preamble)、ＤＬ−ＭＡＰ、ＵＬ−ＭＡＰ、及び複数の下りバースト（図では、DL Burst No.1〜No.4）が含まれる。
【００１０】
プリアンブルは、フレームの先頭で送信される既知パターンを持つ信号であり、各移動局は、プリアンブルを検出することでフレームの先頭を検出することができる。基地局毎に異なるパターンのプリアンブルを送信することもできる。
【００１１】
ＤＬ−ＭＡＰは、下りサブフレームに含まれるデータの送信周波数、送信時間帯等を定義した情報であり、各移動局は、ＤＬ−ＭＡＰを受信することで、どの周波数を用いてどの時間帯において受信を行えばよいかの受信領域情報を認識することができる。従って、ＤＬ−ＭＡＰは、移動局に対する受信領域指定情報と言える。尚、ＤＬ−ＭＡＰでは、ＣＩＤ（Connection Identifier）と受信領域とが対応付けられているため、移動局は、自身が受信すべきＣＩＤに合致するＤＬ−ＭＡＰの情報部分によって特定される受信領域について受信を行えばよい。例えば、ＣＩＤ＝１の受信を希望する移動局は、ＣＩＤ＝１に対応づけられた送信周波数、送信時間帯をＤＬ−ＭＡＰ中から検索し、それに従って受信を行うことで、例えば、DL BurstNo.1で送信される自局宛のデータの受信を行うことができる。
【００１２】
ＵＬ−ＭＡＰは、上りサブフレームに含まれるデータの受信周波数、受信時間帯等を定義した情報であり、移動局は、ＵＬ−ＭＡＰを受信することで、どの周波数を用いてどの時間帯において送信を行えばよいかの送信領域情報を認識することができる。従って、ＵＬ−ＭＡＰは、移動局に対する送信領域指定情報と言える。
【００１３】
例えば、ＵＬ−ＭＡＰでは、移動局が、ネットワークエントリ等を行う際に送信するレンジングコードの送信領域（CDMA Region）がどの周波数、時間帯であるかを移動局に通知する。また、例えば、基地局が、ＣＩＤ＝２の通信を行う移動局に対してUL BurstNo.2において送信を実行させる場合には、ＣＩＤ＝２に対応させて、UL BurstNo.2に対応する周波数、時間帯情報を含むＵＬ−ＭＡＰを送信する。
【００１４】
以上のように、基地局は、移動局に対して、無線フレーム毎に送信領域指定情報、受信領域指定情報を送信することで、移動局の送信、受信動作を細かく制御することができる。
【非特許文献１】ＩＥＥＥ  Ｓｔｄ８０２．１６TM−２００４
【非特許文献２】ＩＥＥＥ  Ｓｔｄ８０２．１６eTM−２００５
【発明の開示】
【発明が解決しようとする課題】
【００１５】
上述したように、無線通信システムにおいて、一方の無線通信装置から他方の無線通信装置に対してデータの送信領域を指定することがある。
【００１６】
また、更に、送信領域の指定の際に、その送信領域で送信すべきデータに関する指定を併せて行うことも考えられる。
【００１７】
これによれば、送信領域を指定する無線通信装置は、指定した送信領域で送信されるデータがどのようなものであるか認識することができ、受信処理に役立つが、その送信領域で送信すべきデータに関する指定に従わざるをえず、利便性に欠くこととなる。
【００１８】
即ち、一方の無線通信装置が、第１の送信領域及びその第１の送信領域で送信すべきデータに関して第１の指定をした場合、他方の無線通信装置は、その第１の送信領域では、データをその第１の指定に従って送信せざるをえない。データに関する指定に従ったデータが送信されなければ、データに関する指定を行った無線通信装置において、予測に反する事態が発生し、受信処理において問題が生ずることがあるからである。
【００１９】
そこで、本発明は、送信領域及びその送信領域で送信すべきデータに関する指定を行った場合でも、その指定に従わないで、その送信領域を利用可能とすることを目的とする。
【課題を解決するための手段】
【００２０】
本発明では、第１の無線通信装置により指定される送信領域内で、第２の無線通信装置が無線信号を送信する無線通信システムにおける通信方法において、前記第１の無線通信装置は、前記第２の無線通信装置に対してデータ及び制御信号の送信領域を指定するとともに、該送信領域で送信すべきデータに関する指定を行い、前記第２の無線通信装置は、指定された前記送信領域内で、送信データと、該送信データが、前記データに関する指定に従って送信されたデータであること又は該送信データが、前記データに関する指定に従って送信されていないデータであることを示す制御信号とを送信する、ことを特徴とする通信方法を用いる。
【００２１】
好ましくは、前記データに関する指定は、データ種別の指定である。
好ましくは、前記データに関する指定は、新規データ又は再送信データの指定である。
【００２２】
好ましくは、前記データに関する指定は、再送信データであり、前記制御信号は、再送信データであること又は再送信データでないことを示す。
【００２３】
好ましくは、前記第１の無線通信装置による前記データ又は前記制御信号の送信領域の指定は、無線フレーム毎に行われる。
【００２４】
好ましくは、前記第１の無線通信装置による、前記送信領域の指定は、前記データの送信領域と前記制御信号の送信領域とを別個に指定することによりなされる。
【００２５】
また、本発明では、第１の無線通信装置により指定される送信領域内で、第２の無線通信装置が無線信号を送信する無線通信システムにおける該第１の無線通信装置に対応する無線通信装置において、前記第２の無線通信装置に対してデータ及び制御信号の送信領域の指定と、該送信領域で送信すべきデータに関する指定とを含む指定情報を生成する生成部と、該生成部で生成された該指定情報を送信する送信部と、指定した前記送信領域内で、送信データと、該送信データが前記データに関する指定に従って送信されたデータであること又は該送信データが前記データに関する指定に従って送信されていないデータであることを示す制御信号とを前記第２の無線通信装置から受信する受信部と、を備えたことを特徴とする無線通信装置を用いる。
【００２６】
また、本発明では、第１の無線通信装置により指定される送信領域内で、第２の無線通信装置が無線信号を送信する無線通信システムにおける該第２の無線通信装置に対応する無線通信装置において、前記第１の無線通信装置から、データ及び制御信号の送信領域の指定と、該送信領域で送信すべきデータに関する指定とを含む指定情報を受信する受信部と、前記第１の無線通信装置に対して無線信号を送信する送信部と、該指定情報により指定された前記送信領域内で、送信データと、該送信データが前記データに関する指定に従って送信されたデータであること又は該送信データが前記データに関する指定に従って送信されていないデータであることを示す制御信号とを前記送信部に送信させる制御を行う制御部と、を備えたことを特徴とする無線通信装置を用いる。
【００２７】
好ましくは、前記制御部は、前記送信部に、指定されたデータよりも優先度の高い他のデータを前記送信データとして前記送信部に送信させる場合に、該送信データが前記データに関する指定に従って送信されていないデータであることを示す制御信号を前記送信部に送信させる。
【００２８】
好ましくは、前記データに関する指定は、該第１の無線通信装置が正しく受信できなかった再送データであり、前記制御部は、指定された該再送データが、所定の許容遅延時間を越えたにもかかわらず、正常な送信が完了していないデータである場合に、前記送信データとして他のデータを前記送信部に送信させるとともに、該送信データが前記データに関する指定に従って送信されていないデータであることを示す制御信号を前記送信部に送信させる。
【発明の効果】
【００２９】
本発明によれば、送信領域及びその送信領域で送信すべきデータに関する指定を行った場合でも、その指定に従わないで、その送信領域を利用可能とすることができる。
【発明を実施するための最良の形態】
【００３０】
本発明を実施する最良の形態の１例として、ここでは、無線通信装置（１０）により指定される送信領域内で、無線通信装置（２０）が無線信号を送信する無線通信システムにおける通信方法において、無線通信装置（１０）は、無線通信装置（２０）に対してデータ及び制御信号の送信領域の指定と、その送信領域で送信すべきデータに関する指定とを行い、無線通信装置（２０）は、指定されたその送信領域内で、送信データと、送信データが、データに関する指定に従っていること又はデータに関する指定に従っていないことを示す制御信号とを送信することとする。
【００３１】
従って、無線通信装置（２０）は、指定された送信領域でデータを送信することができ、かつ、制御信号を送信することもできるため、その制御信号により送信データが、データに関する指定に従ったものか又は指定に従っていないものかを無線通信装置（１０）に通知することができる。
【００３２】
また、指定した送信領域でデータに関する指定に従っていないデータが送信されたとしても、無線通信装置（１０）において、そのことを認識することができ、受信処理において適切な対応をとることが可能となる。
【００３３】
以下、図面を参照して本発明の実施の形態について説明する。
【００３４】
図３は、無線通信システムの実施例を示す。
【００３５】
図において、１０は、送信領域を指定する無線通信装置、２０は指定された送信領域内で無線信号を送信する無線通信装置を示す。
【００３６】
無線通信装置１０は、アンテナに接続された送信部１１、受信部１２及び生成部（制御部）１３を備える。アンテナと送信部１１、受信部１２は、不図示のアンテナ共用器を介して接続される。
【００３７】
送信部１１は、生成部１３から与えられた信号を無線信号としてアンテナから送信する。変調方式としては、例えば、ＱＡＭ、ＱＰＳＫ等を採用することもできる。無線通信装置２０が複数存在する場合には、多重方式として、ＣＤＭＡ、ＯＦＤＭ（ＯＦＤＭＡ）、ＴＤＭＡ、ＦＤＭＡ等を用いることもできる。
【００３８】
生成部（制御部）１３は、送信部１１、受信部１２等の各部の制御を行うとともに、無線通信装置２０に対して送信する信号を生成する。
【００３９】
即ち、生成部１３は、データと制御信号の送信領域を指定するとともに、その送信領域で送信すべきデータに関する指定を行う指定情報を生成して送信部１１に与える。
【００４０】
受信部１２は、アンテナから受信した無線信号について受信処理を施し、受信結果を生成部（制御部）１３に与える。
【００４１】
他方、無線通信装置２０は、アンテナに接続された送信部２１、受信部２２及び生成部制御部２３を備える。アンテナと送信部２１、受信部２２は、不図示のアンテナ共用器を介して接続される。
【００４２】
送信部２１は、生成部２３から与えられた信号を無線信号としてアンテナから送信する。変調方式としては、例えば、ＱＡＭ、ＱＰＳＫ等を採用することもできる。無線通信装置２０が複数存在する場合には、多重方式として、ＣＤＭＡ、ＯＦＤＭ（ＯＦＤＭＡ）、ＴＤＭＡ、ＦＤＭＡ等を用いることもできる。
【００４３】
制御部２３は、送信部２１、受信部２２等の各部の制御を行うとともに、無線通信装置１０に対して送信する信号を生成する。
【００４４】
受信部２２は、アンテナから受信した無線信号について受信処理を施し、受信結果を制御部２３に与える。
【００４５】
先に説明したように、無線通信装置１０は、生成部１３により生成した指定情報を送信するので、受信部２２はこの指定情報を受信し、受信結果を制御部２３に与える。制御部２３は、受信信号に含まれる指定情報を解析し、送信部２１に対してどのような制御を行うかを決定する。即ち、指定情報により指定された送信領域で送信を実行するように送信部２１を制御する。指定情報が、送信周波数（ＯＦＤＭＡのように複数周波数であることもある）、時間帯を含む場合は、指定された送信周波数で、指定された時間帯に送信を行うように送信部２１に指示する。
【００４６】
また、制御部２３は、送信領域の指定だけでなく、その送信領域で送信すべきデータに関する指定を解析し、データに関する指定に従うようにデータを送信部２１から送信する。
指定としては、例えば、データの種類の指定があり得る。制御データ、ユーザデータ、音声データ、画像データ、優先度の高いデータ、新規データ、再送データ等が挙げられる。また、指定として、例えば、送信形式（変調方式、符号化レート）等も挙げられる。
【００４７】
制御部２３は、通常は、指定された種類のデータ、指定された送信形式情報を送信部２１に与える。その際、制御部２３は、指定に従って送信されるデータであることを示す制御信号（Ｃ１）を送信部２１に与えてもよく、このような場合には、指定された送信領域で、データと制御信号（Ｃ１）が送信部２１から送信されることとなる。もちろん、データと制御信号（Ｃ１）とをセットで送信部２１に与えることとしてもよい。指定されたデータの種類に従っていないデータでないことを示す制御信号（Ｃ２）を送信しないことにより、指定されたデータの種類に従っていることを通知することもできる。尚、データは必ず指定された送信形式に従って送信することとしてもよい。
【００４８】
指定が、送信形式である場合は、指定された送信形式でデータを送信するように、制御部２３は、送信部２１に指示し、送信部２１はその形式でデータの送信を行う。その際、制御信号としてＣ１が送信されることとなる。Ｃ１は、実際に送信するデータの送信形式が何であるかを示す情報とすることもできる。
【００４９】
場合によっては、指定されたデータとは異なる種類のデータを送信部２１に与えてもよい。その際、制御部２３は、指定情報により指定されたデータの種類に従っていないデータであることを示す制御信号（Ｃ２）と、その異なる種類のデータとを送信部２１に与えて送信させる。Ｃ２は、指定された送信領域で送信を行うものの、指定に従っていないデータの種類が何であるかを示す情報としてもよい。
【００５０】
指定された種類のデータを送信する際に、Ｃ１を送信するようにしているのであれば、Ｃ１を送信しないことで、無線通信装置１０に対して、指定された種類のデータでないことを通知することもできる。指定された種類のデータを送信する際に、Ｃ１を送信しないようにしている場合、Ｃ１を送信している場合、いずれの場合でも、指定された種類のデータでないことを通知するためにＣ２を送信することもできる。いずれにしても、無線通信装置１０に対して、指定された種類のデータでないことを通知することができる。
【００５１】
指定が、送信形式である場合は、指定された送信形式とは異なる送信形式で送信するように、制御部２３は、送信部２１に指示し、送信部２１はその異なる送信形式で送信を行う。その際、制御信号としてＣ２が送信されることとなる。Ｃ２は、指定された送信形式に従っていない、実際の送信形式が何であるかを示す情報とすることもできる。送信形式を変更する際には、送信に必要とする無線リソースの領域が狭くなる送信形式を選択することが望ましい。例えば、ＱＰＳＫの指定に対して１６ＱＡＭへの変更である。これにより、指定された領域内でより多くの情報を送信することも可能であるからである。もちろん、逆とすることもできる。無線通信装置との間の無線環境を測定する測定部（ＣＩＮＲ測定部、ＳＩＲ測定分、レベル測定部等）を無線通信装置２０が有する場合は、品質に応じて送信形式を変更してもよい。品質向上により、より高速な送信形式、品質低下により、より低速な送信形式に変更する。
【００５２】
尚、制御部２３は、指定されたデータとは異なるデータとＣ２を指定情報で指定された送信領域で送信するように送信部２１を制御する。または、制御部２３は、指定情報で指定された送信領域で、指定された送信形式とは異なる送信形式でデータを送信するとともに、Ｃ２を送信するように送信部２１を制御する。
【００５３】
尚、Ｃ１、Ｃ２は、所定の送信形式で送信するか、又は指定された送信形式に従って送信することが望ましい。
【００５４】
無線通信装置１０の制御部１３は、指定情報で指定した送信領域に対応する周波数、時間帯で受信処理を行うように、受信部１２を制御することで、指定に従って送信されたデータ又は指定に従わずに送信されたデータを受信する。また、制御部１３は、Ｃ１を受信したこと又はＣ２を受信しなかったことにより、指定情報による指定に従って送信されたデータを受信したことを検出し、Ｃ２を受信したこと又はＣ１を受信しなかったことにより、指定情報による指定に従って送信されていないデータを受信したことを検出する。
【００５５】
このように、無線通信装置１０は、指定に従わずに送信されたデータを受信した場合でも、それを検出できるため、無線通信装置２０は、指定されたデータとは異なるデータを送信することが許容される。
【００５６】
無線通信装置１０は、検出に応じて、異なる処理を行うこともできる。
【００５７】
例えば、再送データの送信を指定した場合に、指定に従っていることを検出した場合は、受信データを再送データとして扱って、受信に失敗した先のデータと合成してから復号して合成ゲインを得て受信特性の向上を図ることもできる。また、受信に失敗した先のデータと合成するのではなく、受信に失敗したデータは破棄し、受信に失敗したデータに置き換えるべき、再送データとして受信データを扱う。
【００５８】
他方、指定に従っていないことを検出した場合は、受信データは、再送データでないから（新規データであるから）、受信に失敗した先のデータとは別のデータとして扱い、受信に失敗した先のデータと合成して復号する等といった処理を禁止することもできる。
【００５９】
無線通信装置１０は、検出に従って異なる処理を行うこともできる。例えば、送信形式を１６ＱＡＭと指定したにも関わらず、Ｃ２を受信した場合は、１６ＱＡＭとは異なるＱＰＳＫでも受信処理を試みることで、正常にデータを再生することもできる。Ｃ２により送信形式が通知されているのであれば、無線通信装置１０は、有限のとり得る全ての送信形式について受信処理を試みる手間を省略することができる。
【００６０】
制御信号の送信タイミングは、対応するデータと同じ無線フレーム（ＵＬサブフレーム）内である場合と同じ無線フレーム（ＵＬサブフレーム）内でないことがあり得る。データより先の無線フレーム内で送信されれば、無線通信装置１０は、予め受信処理等の準備を行うことができるし、同じ無線フレーム内であれば、その制御信号により同時期に受信したデータの処理方法の切り分けに用いることができる。制御信号（Ｃ２）の送信がデータの送信される無線フレームの後である場合は、無線通信装置１０は、既に受信したデータについて、後で受信されるその制御信号に基づいて、異なる受信処理を後で実行することもできる。例えば、受信信号は、一旦記憶部に格納しておくこととし、Ｃ２を受信した場合は、指定した受信形式（ＱＡＭ）とは異なる受信形式で受信処理を再度試みることもできる。また、受信データと再送データの合成を行う場合であっても、再送データを指定した場合は、再送であると予想される受信データ（仮再送データ）について、２種類のデータを記憶しておく。即ち、合成部における合成前の仮再送データと、先に受信したデータとの合成後の仮再送データの双方を記憶部に記憶しておき、後の制御信号Ｃ２の受信により、仮再送データは、新規データであったと認識し、合成前のデータを新規データとして生成部３３に記憶部から与えればよい。
【００６１】
尚、Ｃ１、Ｃ２は、所定の送信形式で送信されるか、又は指定された送信形式に従って送信され、その所定の送信形式に対応する受信形式又は指定した送信形式に対応する受信形式で受信される。
【００６２】
この例では。無線通信装置１０と２０が１：１の状況について説明しているが、図１のように無線通信装置２０が複数存在してもよいし、無線通信装置１０が更に網側装置に接続され、無線通信装置１０がセルラー方式における１つのセルを形成する基地局として動作させることもできる。IEEE802.16d/eに対応する基地局として用いるのも１つの例である。
【００６３】
次に、IEEE802.16d/eに対応する基地局をベースとして本発明を適用する１つの例について説明する。ＭＳは、固定装置に置き換えることもできるため、ここでは、端末と称することとする。
【００６４】
システム全体の構成としては、図１に示した構成を採用することができる。尚、ＢＳは、中継局（ＲＳ）を介して端末と接続することもできるが、その場合は、ＢＳをＲＳに読み替えて考えればよい。
【００６５】
図１のように、ＢＳは、無線エリアであるセルを構成し、そのセル内で端末に対して無線サービスを提供する。ＢＳは、上位装置と接続され、他のＢＳや、網側装置との通信を可能としている。
【００６６】
この実施例で用いることとする無線フレームのフォーマットは、図２に示したフォーマットとすることができる。従って、この実施例では、ＢＳは、図２に示したＤＬサブフレームの送信を行い、ＵＬサブフレームの受信を行う。ＤＬバースト、ＵＬバーストの送信領域、送信形式（変調方式、符号化レート、繰返し数等）は、先に示したようにそれぞれ、ＤＬ−ＭＡＰ、ＵＬ−ＭＡＰで定義される。
【００６７】
さて、基地局の構成について図４を用いて説明する。
【００６８】
基地局３０は、送信部３１、受信部３２、生成部（制御部）３３、復号部３４、誤り検出部３５、記憶部３６、合成部３７を備えている。
【００６９】
生成部（制御部）３３は、無線フレームを形成する、プリアンブル、ＤＬ−ＭＡＰ、ＵＬ−ＭＡＰ及び各ＤＬバーストを生成し送信部３１から送信させる。ＤＬ−ＭＡＰは、各ＤＬバーストの送信領域、送信形式を定義しており、生成部（制御部）３３は、各ＤＬバーストの送信を行う際には、ＤＬ−ＭＡＰで定義された送信領域、送信形式で送信を行うように送信部３１を制御する。ＵＬ−ＭＡＰは、各ＵＬバースト、レンジング信号の送信領域である（ＣＤＭＡ  Ｒｅｇｉｏｎ）の送信領域、送信形式を定義している。
【００７０】
先に説明した、制御信号Ｃ１、Ｃ２を、データと同じ領域内で送信することを許容する場合には、上りデータの送信領域を定義するＵＬ−ＭＡＰ情報により、データ及び制御信号の送信領域を一括して指定する。
【００７１】
先に説明した、制御信号Ｃ１、Ｃ２を、データと異なる領域内で送信することを許容する場合は、上りデータの送信領域を定義するＵＬ−ＭＡＰ情報（データ用ＵＬ−ＭＡＰ）により、データの送信領域、送信形式を指定し、制御信号の送信領域を定義する別個のＵＬ−ＭＡＰ情報（制御信号用ＵＬ−ＭＡＰ）により、制御信号の送信領域、送信形式が指定される。尚、レンジング信号は、制御信号の一種であり、送信領域も制御信号ＵＬ−ＭＡＰに区分してもよい。
【００７２】
いずれにしても、データと制御信号の送信領域をＵＬ−ＭＡＰにより指定していることには変わりない。
【００７３】
図５は、ＵＬ−ＭＡＰのデータ構成例を示す。ここでは、送信領域が指定されるデータは、再送制御の対象であるデータであるとする。
【００７４】
HARQ (Hybrid Automatic Repeat reQuest) UL MAP IE(Information Element)は、再送制御の対象となるデータの送信領域（送信ブロック）を定義する。例えば、再送制御の対象となるデータの送信をＵＬサブフレーム内におけるどの周波数、どの時間帯に割り当てるかを定義する。
【００７５】
HARQ (Hybrid Automatic Repeat reQuest) UL MAP IEにより割り当てられた送信領域をUL HARQ Chase sub-burst IEにより更に分割して利用することもできる。
【００７６】
UL HARQ Chase sub-burst IEは、例えば、図６に示したデータ構成とすることができる。
【００７７】
データ項目として、RCID(Reduced Connection IDentifier) IE、UIUC(Uplinlk Interval Usage Code)、Repetition Coding Indication、Duration、ACID(hARQ Channel IDentifier)、AI SN(hARQ Identifier Sequence Number)、ACK disable、Reservedを含めることができる。尚、図６は、CC（Chase Combine）方式を用いたときのHARQ UL MAP IEの構成を示したものであるが、IR（Increment Redundancy）方式や、CTC（Convolution Turbo Code）方式、IR CC(confirmation Code)方式等を採用することもできる。
【００７８】
RCID IEは、基地局３０と端末４０との間のコネクションを特定するためのＩＤ情報である。ここでは、所定のデータ圧縮処理が施されたRCIDを用いることとする。
【００７９】
UIUCは、変調方式（QPSK、16QAM等）、符号化レート（1/2、1/3等）等の送信形式を特定する情報である。複数の変調方式と複数の符号化レートとの各組み合わせに対して、異なる数値を割り当て、いずれかの数値をUIUC情報として利用（送信）することもできる。
【００８０】
Repetition Coding Indicationは、ULバースト内に格納する送信データの冗長性を制御するための情報であり、例えば、0b00によって、送信データの繰返しを無しに設定し、0b01によって、送信データの繰返し数を２（同じ送信データ２つ分を格納）に設定し、0b10によって、送信データの繰返し数を４（同じ送信データ４つ分を格納）に設定し、0b11によって、送信データの繰返し数を６（同じ送信データ６つ分を格納）に設定することができる。
【００８１】
Durationは、データを送信する期間を示し、例えば、送信を許容するスロット数により期間を示すことができる。HARQ UL MAP IEは、複数のUL HARQ Chase sub-burst IEを含み得るので、端末４０は、HARQ UL MAP IEにより指定された送信領域をまず特定する。そして、端末４０は、２番目のUL HARQ Chase sub-burst IE（２）に従ってデータを送信する場合には、１番目のUL HARQ Chase sub-burst IE（１）のDurationで指定されたスロット数（ここでは、５）だけシフトさせ、６番目のスロットから、UL HARQ Chase sub-burst IE（２）のDurationで指定された３スロット分を用いてデータを送信する。即ち、端末４０が、N番目のUL HARQ Chase sub-burst IEに従って、データを送信する場合には、１〜N-1番目のUL HARQ Chase sub-burst IEの各Durationの合計を求め、合計値＋１番目のスロットでデータを送信することとなる。もちろん、UL HARQ Chase sub-burst IEが、何スロット目から何スロットをデータ送信に利用できるかといった情報を含む場合には、端末は、他のUL HARQ Chase sub-burst IEの受信を行わずとも、自身に宛てられた１つのUL HARQ Chase sub-burst IEの受信により、データ送信領域を特定することも可能である。
【００８２】
尚、このようなデータ送信領域の指定は、無線フレーム毎に行われるようにしてもよい。
【００８３】
ACIDは、再送制御（HARQ）のプロセスを識別するためのIDを示す情報である。例えば、端末４０が送信するデータを並列送信する場合には、各送信それぞれに対して異なるACIDを付与し、各送信を区別可能として、再送制御を各送信で実行することができる。
【００８４】
AI SNは、例えば、０、１よりなるビットを用いることができ、前回送信の際に“１（０）”を設定した場合、今回再送を求めるのであれば、同じ“１（０）”を設定し、今回新規送信を求めるのであれば、異なる“０（１）”を設定する。従って、ビットの変化によって、新規送信、再送信が端末４０に通知されるため、端末４０は、前回と今回のビット双方を用いて、新規送信、再送信を識別することとなる。
【００８５】
ACK disableは、端末４０から受信したデータに対してHARQ ACK IEは送信しないことを通知する情報である。
【００８６】
Reservedは予約された空き情報領域である。
【００８７】
また、基地局３０は、端末４０が制御信号Ｃ１、Ｃ２の送信を可能とする送信領域の確保も行う。
【００８８】
このとき、制御信号（Ｃ１、Ｃ２）の送信領域は次の領域とすることができる。
（１）HARQ UL MAP IEで指定するバーストデータの送信領域（Ｂ）内
・各バーストデータの送信領域内で制御信号を送信することを許容する場合
図５のＲ１で示した領域に制御信号（Ｃ１、Ｃ２）の送信領域を設定することもできる。
【００８９】
このようにすれば、基地局３０は、各バーストデータの送信領域についての受信処理により、データと制御信号との双方を受信することができ、効率的である。
【００９０】
図５のＤ１（個々のバーストデータについて指定を行う指定データ内）、Ｄ２（バーストデータ送信領域全体について指定を行う指定データ内）、Ｄ３（バーストデータ送信領域の指定を行うデータ外）のいずれによっても、具体的な領域Ｒ１を指定することができる。Ｄ１、Ｄ２、Ｄ３は、無線フレーム毎に送信されてもよいし、複数無線フレーム毎に送信することもできる。
【００９１】
また、Ｄ１は、個々のバーストデータの送信領域内で、明示的に、制御信号を送信すべき送信領域を指定する。しかし、基地局３０は、個々のバーストデータの送信領域の指定を行い、端末４０は、指定されたバーストデータの送信領域が、データ及び制御信号の送信領域と解釈して、データ及び制御信号の送信を行うこともできる。即ち、この場合は、バーストデータの領域内との指定はされるが、バーストデータ領域内のうち、具体的にどの領域で制御信号が送信すべきか指定されない。
・バーストデータの送信領域（Ｂ）内
図５のＲ２で示した領域に制御信号（Ｃ１、Ｃ２）の送信領域を設定することもできる。
【００９２】
このようにすれば、再送制御の対象となるデータとは異なる送信領域となるため、データが送信される際の無線環境と制御信号が送信される際の無線環境とが異なる環境となり、基地局３０は、データは受信できなくとも、制御信号は受信可能となることがある。
【００９３】
図５のＤ１（個々のバーストデータについて指定を行う指定データ内）、Ｄ２（バーストデータ送信領域全体について指定を行う指定データ内）、Ｄ３（バーストデータ送信領域の指定を行うデータ外）のいずれによっても、具体的な領域Ｒ２を指定することができる。Ｄ１、Ｄ２、Ｄ３は、無線フレーム毎に送信されてもよいし、複数無線フレーム毎に送信することもできる。
【００９４】
また、Ｄ２は、明示的にバーストデータ送信領域内で、特に、制御信号を送信すべき送信領域を指定する。しかし、基地局３０は、バーストデータ送信領域Ｂの指定を行い、端末４０は、バーストデータ送信領域Ｂにおいてデータ送信に用いられない部分（残り部分）を制御信号の送信領域と解釈して、制御信号の送信を行うこともできる。
（２）HARQ UL MAP IEで指定するバーストデータの送信領域（Ｂ）外
図５のＲ３で示した領域に制御信号（Ｃ１、Ｃ２）の送信領域を設定することもできる。
【００９５】
このようにすれば、再送制御の対象となるデータとは異なる送信領域となるため、データが送信される際の無線環境と制御信号が送信される際の無線環境とが異なる環境となり、基地局３０は、データは受信できなくとも、制御信号は受信可能となることもある。また、データの送信領域とより離れた領域を制御信号の送信領域とすることもできるので、より無線環境が異なるものとなり易い。
【００９６】
図５のＤ１（個々のバーストデータについて指定を行う指定データ内）、Ｄ２（バーストデータ送信領域全体について指定を行う指定データ内）、Ｄ３（バーストデータ送信領域の指定を行うデータ外）のいずれによっても、領域Ｒ３を指定することができる。Ｄ１、Ｄ２、Ｄ３は、無線フレーム毎に送信されてもよいし、複数無線フレーム毎に送信することもできる。
【００９７】
図７に、Ｄ１、Ｄ２、Ｄ３で制御信号の送信領域を指定する場合の指定情報の例を示す。
ここでは、制御信号の送信領域等を指定する指定情報をUL HARQ flag Region Allocation IEと称することとする。
【００９８】
UL HARQ flag Region Allocation IEには、Extended UIUC、Length、OFDMA Symbol offset、Subchannel offset、No. OFDMA Symbols、No. Subchannelsが含まれる。
【００９９】
Extended UIUCは、メッセージの種類を示す情報で、制御信号の送信領域を定義するメッセージであることを意味する。
【０１００】
Lengthは、このメッセージの長さを示す。
【０１０１】
OFDMA Symbol offset、Subchannel offset、No. OFDMA Symbols、No. Subchannelsは、制御信号を送信すべき送信領域を定義する情報であり、OFDMA Symbol offsetにより、無線フレーム内の基準タイミング（例えばプリアンブルの先頭）に対して何シンボル分遅れた位置から制御信号の送信領域が開始するか（開始タイミング）を示し、Subchannel offsetは、使用するサブチャネルの一方の端から何サブチャネル離れて制御信号の送信領域が開始するか（開始サブチャネル）を示し、No. OFDMA Symbolsは、開始タイミングから何シンボル分制御信号の送信領域が続くかを示し、No. Subchannelsは、開始サブチャネルから何サブチャネル分、制御信号の送信領域が続くかを示している。
【０１０２】
送信領域の指定はこれに限るものではない。
【０１０３】
さて、基地局３０の受信部３２は、端末４０から受信したデータ（例えば、ULバースト領域で送信されたデータ及び制御信号（C１、C2））を受信する。尚、受信部３２は、HARQ UL MAP IEで指定した送信領域で各端末４０から送信される信号（UL−MAPを送信した無線フレーム内のULサブフレームで送信されるか又はUL−MAPを送信した無線フレーム内のULサブフレームから所定フレーム後（例えば、次の無線フレームのULサブフレーム）で送信される）を各UL HARQ Chase sub-burst IEで指定された送信形式に対応する受信形式で受信する。
【０１０４】
AI SNにより新規送信を設定した場合には、受信部３２は、端末４０からの送信データを復号部（例えば、ターボ復号器等の誤り訂正復号器）３４に与え、復号結果を記憶部３６に記憶させるとともに、誤り検出部（CRCチェック部等）３５で誤り検出を実行させる。
【０１０５】
誤り検出部３５が、誤りを検出しなかった場合は、記憶部３６に記憶したデータは破棄させ（上書可能とし）、受信データを生成部（制御部）３３に与える。その際、誤り検出部３５は、好ましくは、受信に成功した旨の識別ビットも含めて与える。
【０１０６】
生成部（制御部）３３は、受信成功を検出すると、受信データをRCIDに基づいて、同じコネクション同士のデータを収集して、必要であれば結合を行う。結合データは、網側の上位装置に転送され、所定の宛先に転送されることで、この端末４０とその宛先装置との間で通信が実行されてもよい。
【０１０７】
また、生成部３３は、受信成功により、再送は不要であると判断できるため、RCID、ACIDとAI SNのうち、AI SNに対して、新規送信を意味するようにビット変更処理を施してUL HARQ Chase sub-burst IEを生成し、次の無線フレームで送信することで、同じ端末４０に対して同じプロセスとして、次のデータの送信を促すことができる。もちろん、送信領域等はHARQ UL MAP IEによって再設定されてよい。HARQ UL MAP IEによるＵＬバーストデータの送信領域は可変である。
【０１０８】
さて、誤り検出部３５が、誤りを検出した場合は、記憶部３６にRCID、ACIDに対応させて誤りのあるデータを記憶させる。誤り検出部３５は、生成部（制御部）３３にRCID、ACIDとともに誤りがあった旨通知するため、生成部３３は、RCID、ACIDとAI SNのうち、AI SNに対して、再送信を意味するようにビット変更処理を施してUL HARQ Chase sub-burst IEを生成し、次の無線フレームで送信することで、同じ端末４０に対して同じプロセスとして、データの再送信を促すことができる。もちろん、送信領域等はHARQ UL MAP IEによって再設定されてもよい。
【０１０９】
そして、再送信された場合は、受信部３２はこれを受信し、受信データを合成部３７に与える。合成部３７は、生成部３３から受信データのRCID、ACIDが通知されるため、対応するデータを記憶部３７から読み出し、再送された受信データと合成し、合成結果を復号部３４に与える。尚、合成の際には、信号の確からしさ（尤度）を平均化する等の処理により信号レベルでの合成（例えば最大比合成）を行う。
【０１１０】
復号部３４は、合成データに基づいて復号を行い、復号結果を誤り検出部３５及び記憶部３６に与えて、更なる再送に備える。
【０１１１】
その後の誤り検出部３５の動作等は、先の説明と同様である。
【０１１２】
以上のように、この基地局３０は、受信に失敗したデータと再送データを合成することで合成ゲインを得て、再送回数を抑えることができる構成としている。しかし、生成部３３は、合成を行わずに再送されたデータを再度復号し、誤りがなければ、新規データの送信を端末４０に行わせ、誤りがあれば、更なる再送データの送信を端末４０に行わせることもできる。
【０１１３】
また、基地局３０の受信部３２は、データだけでなく、制御信号（Ｃ１、Ｃ２）も端末４０から受信し、受信結果は、生成部（制御部）３３に与えられる。
【０１１４】
生成部３３は、指定情報により指定したデータに対応するデータであることを示す制御信号（Ｃ１）を受信すると（Ｃ２を受信しないと）、指定により予定していた処理を行う。
【０１１５】
例えば、指定情報により再送データの送信を指定していた場合は、予定通り、再送さえたデータについての受信信号を合成部３７に与え、記憶部３６に記憶された信号と合成して、再度復号を行う。
【０１１６】
また、生成部３３は、指定情報により指定したデータに対応するデータでないことを示す制御信号（Ｃ２）を受信すると（Ｃ１を受信しないと）、指定により予定していた処理とは異なる処理を行う。
【０１１７】
例えば、指定情報により再送データの送信を指定していた場合は、予定とは異なり、指定再送データとは異なる送信データ（例えば、新規データ）についての受信信号の合成処理をせずに、復号部３４に与える。復号部３４は、復号結果を、誤り検出部３５を介して生成部３３に与える。
【０１１８】
このように、制御信号Ｃ１、Ｃ２を用いることで、指定したデータとは異なるデータが送信された場合でも基地局３０は、適切に動作することができる。
【０１１９】
図８は、無線通信装置の例としての端末の構成例を示す。
【０１２０】
図において、４０は端末、４１は送信部、４２は受信部、４３は誤り検出符号部、４４は符号化部、４５は記憶部をそれぞれ示す。
【０１２１】
受信部４２は、基地局３０から送信されたプリアンブルを用いて無線フレームタイミングに同期をとり、ＵＬ−ＭＡＰ、ＤＬ−ＭＡＰの受信を行う。
【０１２２】
端末４０の制御部４３は、ＤＬ−ＭＡＰにおいて、自身が受信すべきＣＩＤに対応するＤＬバーストの送信領域、送信形式情報を受信した場合は、その送信領域、送信形式で基地局３０から送信される情報を受信するように受信部４２を制御する。受信部４２で受信されたデータは、制御部４３に与えられ、必要な処理が施こされる。必要な処理が施された受信データ（例えば、音声、画像情報）は、不図示の表示部、音声出力部等から出力される。
【０１２３】
また、受信部４２は、ＵＬ−ＭＡＰにおいて定義された、レンジング信号の送信領域、再送制御の対象となる送信データがある場合には、HARQ UL MAP IE（特に、自身宛のＭＡＰ情報）を受信する。
【０１２４】
レンジング領域は、ネットワークにエントリする際や、移動局の送信する無線信号の送信タイミング、送信周波数を制御するために用いられるレンジング信号を送信する領域である。レンジング領域は、他の端末間と共有するため、他の端末と同じタイミングを選択した場合、信号の衝突が起こり得る。しかし、複数のＣＤＭＡコードのうち、選択したコードを用いることで、コードの分離はある程度可能であるから、コードが異なれば、同時送信についても救済され得る。
【０１２５】
HARQ UL MAP IEの受信データは、制御部４３で解析され、バーストデータ送信領域及び、そのバーストデータ送信領域内でデータを送信すべき送信領域を特定するために用いられる。
【０１２６】
即ち、端末４０の制御部４３は、HARQ UL MAP IEに含まれるUL HARQ Chase sub-burst IE（２）に自身に対応するRCIDが格納されている場合、先の手法により、バースト送信領域内におけるスロット＃６〜＃８をデータの送信領域として特定し、その領域で送信部４１からデータを送信部４１から送信させる。尚、誤り検出符号化前、誤り検出符号化後、符号化後（ターボ符号化等の誤り訂正符号化後）の送信データのいずれかが、記憶部４５に記憶され、再送に備えられる。尚、送信データは、ACIDと対応させて記憶される。再送を行う際には、記憶信号は、記憶部４５から読み出され、処理すべき残りの処理が実行されるように、対応するユニットに与えられる。
【０１２７】
また、HARQ UL MAP IEに含まれるUL HARQ Chase sub-burst IE（２）に、自身に対応するRCIDが格納されており、AI#SNが先に受信したAI SN に対して変化していない場合は、再送が必要であることを、制御部４３は検出して、同じくUL HARQ Chase sub-burst IEに含まれるACIDに対応するデータを読み出し、送信部４１に、指定された送信領域、送信形式で送信させる。
【０１２８】
HARQ UL MAP IEに含まれるUL HARQ Chase sub-burst IE（２）に、自身に対応するRCIDが格納されており、AI#SNが先に受信したAI SN に対して変化している場合は、新規送信を指定されていることを、制御部４３は検出して、新規データを送信部４１に送信させる。その際の送信は、やはり、指定された送信領域、送信形式で行われる。
【０１２９】
また、端末４０は、基地局３０に指定されたデータに対応するデータを送信する際には、Ｃ１を指定された制御信号の送信領域で送信する（Ｃ２を送信しない）。また、端末４０は、基地局３０に指定されたデータに対応しないデータを送信する際には、Ｃ２を指定された制御信号の送信領域で送信する（Ｃ１を送信しない）。
【０１３０】
基地局３０に指定されたデータを送信しない状況は種々考えられる。
【０１３１】
例えば、Voice of IP（VoIP）データや、ＴＶ電話等のリアルタイム性が高いアプリケーションデータを端末４０が送信する場合には、許容遅延時間を超えた場合には、端末４０からこれらのデータを送信する価値がない場合がある。
【０１３２】
例えば、VoIPデータが送信すべき時間期限を越えたにも関わらず、基地局３０における受信失敗等により、未だ正常な送信が完了しない場合がある。
【０１３３】
基地局３０は、たとえ、そのデータに時間期限情報が含まれているとしても、受信に失敗した場合はその情報を確認することができず、再送の要求をしてしまう。一方、端末４０は、要求された再送に応答して、再送を行おうとしても、既に送信の必要性がないデータを送信することとなり、無駄なデータを伝送することとなる。しかし、端末４０は、何も送信しないとすると、再送のために指定された送信領域が無駄になる。
【０１３４】
従って、端末４０は、指定された再送データとは異なるデータを送信することが望ましい。価値の低い再送データの優先度より、異なるデータの優先度の方が高いからである。
【０１３５】
再送制御に限らず、端末４０は、指定されたデータとは異なるデータを送信する際に、異なること又は異なるデータがどのような種類のデータであるかを制御信号（Ｃ２）として指定された制御信号の送信領域で送信することで、基地局３０は、予期しないデータの受信によるトラブルを回避することができる。
【０１３６】
図９に、再送制御を行う場合の手順を示す。
【０１３７】
基地局３０は、HARQ UL MAP IE（UL HARQ Chase Sub-Burst IE）により、データ及び制御信号の送信領域及びその送信領域で送信すべきデータ（新規データ、再送データ）を指定する。
【０１３８】
端末４０は、HARQ sub-burstにより指定されたデータ又は指定されたデータとは異なるデータを指定された送信領域で送信するとともに、対応する制御信号（Ｃ１、Ｃ２）をUL HARQ Flagとして制御信号の送信領域で送信する。同じＵＬサブフレームで送信することが処理遅延を少なくする上で望ましい。
【０１３９】
基地局３０は、必要に応じてHARQ ACK IEにより受信の可、否を端末に通知する。この通知を行わないこととすることもできる。
【０１４０】
また、HARQ UL MAP IE（UL HARQ Chase Sub-Burst IE）により、新規データ又は再送データの送信を端末に要求する。
【０１４１】
端末４０は、HARQ sub-burstにより指定されたデータ又は指定されたデータとは異なるデータを指定された送信領域で送信するとともに、対応する制御信号（Ｃ１、Ｃ２）をUL HARQ Flagとして制御信号の送信領域で送信する。
【０１４２】
図１０に端末の動作フローの１例を挙げる。
【０１４３】
端末４０は、UL HARQ MAP IEを受信する（ステップ１）。
【０１４４】
端末４０は、自身に対するHARQ sub-burstの送信の指定があるかどうか判定する（ステップ２）。Ｎｏの場合は、処理を終了し、ステップ１に戻る。
【０１４５】
ステップ２で、Ｙｅｓの場合は、再送の指定かどうか判定する（ステップ３）。
【０１４６】
再送の指定の場合は、再送のHARQ sub-burstは許容遅延時間内か（指定されてデータを送信するかどうか）判定する（ステップ４）。
【０１４７】
ここで、許容遅延時間内の場合は、前回送信したHARQ sub-burstを再送するとともに、Ｃ１をUL HARQ Flagとして送信（Ｃ２を送信しない）する（ステップ５）。
【０１４８】
ここで、許容遅延時間外の場合は、新しいHARQ sub-burstを送信するとともに、Ｃ２をUL HARQ Flagとして送信（Ｃ１を送信しない）する（ステップ６）。
【０１４９】
図１１に基地局の動作フローの１例を挙げる。
【０１５０】
基地局３０は、UL HARQ flagを受信する（ステップ１）。
【０１５１】
基地局３０は、UL HARQ flagにより、指定したデータが送信されたか、指定されたデータが送信されたかどうか判定する（ステップ２）。基地局３０は、新規送信を指定した場合に、制御信号Ｃ１を受信した（Ｃ２を受信しなかった）場合は、Ｙｅｓと判定し、再送信を指定した場合に、制御信号Ｃ２を受信した（Ｃ１を受信しなかった）場合は、Ｙｅｓと判定する。他の場合は、Ｎｏと判定できる。
【０１５２】
さて、ステップ２の判定で、Ｎｏの場合は、基地局３０は、再送HARQ sub-burstの合成受信処理を実行し（ステップ４）、処理を終了し、ステップ１に戻る。
【０１５３】
ステップ２の判定で、Ｙｅｓの場合は、基地局３０は、新規HARQ sub-burstの受信処理を行い（ステップ３）、前回HARQ sub-burstの受信に失敗したかどうか判断する（ステップ５）。
【０１５４】
ステップ５でＮｏの場合は、処理を終了し、ステップ１に戻る。
【０１５５】
ステップ５でＹｅｓの場合は、前回受信したHARQ sub-burstを破棄し（記憶部に記憶したデータを削除又は上書を可能とする）、ステップ１に戻る。
【０１５６】
図１２に、UL HARQ Flagを送信する割り当て領域の例を示す。
【０１５７】
この例では、制御信号を送信する１つの領域は、スロットと図示した部分とする。例えば、１つのスロットは、サブチャネルの半分に相当するサブキャリア及び３シンボル分の時間を持つものとする。そのスロットでは、制御信号Ｃ１又はＣ２が送信される。
【０１５８】
先の説明では、指定に従う場合はＣ１、指定に従わない場合はＣ２としたが、新規送信は、Ｃ１、再送信はＣ２としても、基地局３０は先の指定と、異なるデータであることをＣ１、Ｃ２と、自身の先の指定とを比較することで検出できる。
【０１５９】
スロットが複数のＣ１、Ｃ２を冗長性を持たせて格納可能な場合は、複数のＣ１、Ｃ２がスロットの格納されることを許容してもよい。
【０１６０】
図１３は、各端末に対して制御信号の送信領域のうちどの部分（スロット）を使用すべきかを明示的に指定しない（演算を必要とさせる）場合の例を示す。
【０１６１】
端末４０は、例えば、UL HARQ Chase sub-burst IEの５番目が自身宛であり、送信が必要と判断すると、UL HARQ Chase sub-burst IEが５番目であることを利用して、制御信号の領域内で５番目に対応するスロットで制御信号を送信するようにする。
【０１６２】
即ち、端末４０は、指定された制御信号の送信領域の開始ポイント（●参照）から周波数が増加（又は減少）する方向に向かって何スロット５スロット分カウントする。
【０１６３】
この例では、周波数方向には、４スロット分しか制御信号の送信領域が割り当てられていないため、時間を１スロット分増加させ、（５）で示すスロットの送信領域を特定し、端末４０は、特定したスロット（５）で制御信号を送信する。
【０１６４】
図１４は、UL HARQ Chase Sub-burst IEに新規送信を求めるのか再送信を求めるのかのフラグ（Retransmission Flag）を含めるようにした。AI SNは、ビットの変化により新規又は再送を通知するものであるが、このRetransmission Flagは、０であれば新規送信、１であれば再送信といったように、判別可能である。
【０１６５】
従って、端末４０は、図１５に示すように、Retransmission Flagが１となっている分だけ制御信号を送信するためのスロットが使用されることを認識することもできる。
【０１６６】
即ち、各端末は、Retransmission Flagが１となっている場合に、制御信号を送信するのである。
【０１６７】
この端末４０が、UL HARQ Chase Sub-burst IEの３番目が自身に宛てたものであることを検出すると、それより前にRetransmission Flagが１となっているUL HARQ Chase Sub-burst IEの数を数える。ここでは１のため、端末４０は、使用すべきスロットは、２番目であると認識し、（３）で示したスロットで制御信号を送信する。これによれば、制御信号のために消費される上り信号の送信領域が縮小される。
【図面の簡単な説明】
【０１６８】
【図１】従来の無線通信システムの例。
【図２】従来の無線フレームの例。
【図３】無線通信システムの構成例（その１）。
【図４】無線通信装置（基地局）の構成例（その２）。
【図５】ＵＬ−ＭＡＰの構成
【図６】UL HARQ Chase Sub-Burst IEの構成。
【図７】UL HARQ Flag Region Allocation IEの構成。
【図８】無線通信装置（端末）の構成例（その２）。
【図９】再送制御の手順。
【図１０】端末の動作フロー。
【図１１】基地局の動作フロー。
【図１２】UL HARQ Flag Allocation Regionの構成。
【図１３】UL HARQ Chase Sub-Burst IEとUL HARQ Flag Allocation Regionの関係。
【図１４】UL HARQ Chase Sub-Burst IEの構成。
【図１５】UL HARQ Chase Sub-Burst IEとUL HARQ Flag Allocation Regionの関係。
【符号の説明】
【０１６９】
１：基地局（ＢＳ）
２：移動局（ＭＳ）
１０：無線通信装置（例えば、基地局）
１１：生成部（制御部）
１２：送信部
１３：受信部
２０：無線通信装置（例えば、移動局（端末））
２１：送信部
２２：受信部
２３：制御部
３０：基地局
３１：送信部
３２：受信部
３３：生成部（制御部）
３４：復号部
３５：誤り検出部
３６：記憶部
３７：合成部
４０：端末
４１：送信部
４２：受信部
４３：誤り検出符号化部
４４：符号化部
４５：記憶部
【図１】
0005018447.tif 000002
【図２】
0005018447.tif 000003
【図３】
0005018447.tif 000004
【図４】
0005018447.tif 000005
【図５】
0005018447.tif 000006
【図６】
0005018447.tif 000007
【図７】
0005018447.tif 000008
【図８】
0005018447.tif 000009
【図９】
0005018447.tif 000010
【図１０】
0005018447.tif 000011
【図１１】
0005018447.tif 000012
【図１２】
0005018447.tif 000013
【図１３】
0005018447.tif 000014
【図１４】
0005018447.tif 000015
【図１５】
0005018447.tif 000016